(57)【要約】【目的】螺旋杭の打ち込み作業の際、経験に頼らず安易に正確に作業を行うために螺旋杭を支持する構造を設け、その支持する構造物を固定するためのハーケンの付いた踏板を持ち、螺旋杭の構造に合った打ち込みハンドルを提供する。【構成】螺旋杭支持部（１）とそれを固定するためのハーケン（４）、ハーケン（４）に作業者が体重をかける踏板（５）を設けたことを特徴とし専用の打ち込み用ハンドル（図６）が付属している。【選択図】　　図１
2004116273.tif 000002
【特許請求の範囲】
【請求項１】
螺旋杭（図４）の螺旋杭外直径部（９）を支持し、かつスムーズに回転するように螺旋杭外直径部（９）と支持板（２）の間に一定の隙間を設ける、螺旋杭の先端にある螺旋杭外直径部（９）より突出部（３）をスムーズに螺旋杭支持部（１）へ挿入可能とするための隙間（８）を設ける。
この隙間（８）は螺旋杭支持部（１）側面では目視穴（６）となり、作業の進捗状態を確認できる。螺旋杭支持部（１）が地面に対して動いてしまうと地面を掘り返し柔らかくしてしまう。結果打ち込み後に螺旋杭の引き抜き抵抗力が弱くなってしまう。螺旋杭支持部（１）が地面に対して動かなくするためにハーケン（４）を設け、かつハーケン上部の踏板（５）に作業者の体重をかけることにより螺旋杭支持部（１）が動くことを抑制する。螺旋杭の打ち込み作業後、螺旋杭打込み作業用補助具を螺旋杭から抜き取り運搬するためのトッテ（７）をもっている。上記の機能を有する螺旋杭打ち込み作業用補助具である。
【請求項２】
上記　螺旋杭打ち込み作業用補助具の効率を向上させるため、螺旋杭の輪部（１０）の片側面を支持する側面支持部（１４）と輪部（１０）の内径を支持する内径支持部（１５）を持ち、側面支持部（１４）と対峙する突起（１６）をもつ。突起（１６）を輪部（１０）の切れ目（１１）より挿入し（図６）のごとく９０度回転すれば側面支持部（１４）と内径指示部（１５）と突起（１６）で輪部（１０）を支持することより螺旋杭のがたつきが抑えられる。また突起（１０）が回転してがたつきを抑える効果がなくなることを防止するためのツメ（１７）を設けた。螺旋杭は一般的にビニールハウスの鉄骨（１８）に（図７）のように近接して打ち込むことが多いため中央に支持金具（２０）を固定すると鉄骨（１８）にハンドルが抵触してしまい打ち込み用ハンドルは回らなくなる。これを解決するため支持金具（２０）が打ち込み用ハンドルのパイプ部（２１）の一定範囲（２２）を移動できる構造にした。以上の機能を有する
打ち込み用ハンドルである。
【発明の詳細な説明】
【０００１】
【産業上の利用分野】
本発明は、主にビニールハウス等　仮に設営される構造物の固定用として従来より使用されている螺旋杭の打ち込みを安易にする補助具に関する。
【０００２】
【従来の技術】
螺旋杭の打ち込み作業は手作業にて行われている。打ち込みは適当な棒やパイプを打ち込み用ハンドルとして使用し作業のほとんどが経験をたよりに行われている。螺旋杭には回転して打ち込む為の輪部（１０）が付いている。ここに打ち込み用ハンドルを入れて回転させながら地面方向に力を加えることでワインのコルク栓に螺旋の栓抜きを入れるように螺旋杭を打ち込んでゆく。しかし回転の中心は螺旋杭形状の中心（１３）に無く、偏芯した螺旋杭先端（１２）にある。螺旋杭はそのため螺旋杭先端（１２）を中心に偏芯したまま（図３）回転してしまう。その結果地面は掘り返され柔らかになり杭を打っても有効な引き抜き抵抗力を持たなくなる。上記のことと共に打ち込み用ハンドルは適当な棒やパイプを使用するため、輪部（１０）の直径に合うとは限らず、そのために適当でかつ輪部（１０）の直径より小さな直径の棒を打ち込み用ハンドルとして挿入し作業を行うことになる。結果として輪部（１０）と棒の間にがたつきが生じ螺旋杭と棒の直角を保てなくなるため螺旋杭をまっすぐに打込む作業の妨げになる。
【０００３】
【発明が解決しようとする課題】
螺旋杭先端（１２）を中心に偏芯した状態で回転するため螺旋杭先端（１２）螺旋の角度（１９）に従ってワインの栓抜きのようには地面に入っていかないという欠点があった。
【０００４】
螺旋杭先端（１２）を中心に偏芯した状態で回転すれば、地面を耕して柔らかくしてしまい螺旋杭の引き抜き抵抗力を弱くするという欠点があった。
【０００５】
現在、打ち込みに使用されるハンドルは輪部（１０）の内径と合わないものを使用することが多い。その結果、螺旋杭はぐらつくことになる。ワインのコルク栓に螺旋の栓抜きを入れていくような作業にとって、そのぐらつきのため打ち込み作業の効率が著しく悪くなっていた。本発明は以上のような欠点をなくすためなされた。
【０００６】
【課題を解決する手段】
螺旋杭先端（１２）を中心に偏芯した状態で回転することを抑制するため螺旋杭支持部（１）を設ける。
【０００７】
螺旋杭を螺旋杭支持部（１）に突出部（３）をスムーズに挿入するため隙間（８）を設ける。
【０００８】
螺旋杭支持部（１）が地面に対してずれを生じる事の無い様ハーケン（４）を設け、また作業者がハーケン（４）に体重をかける踏板（５）を設ける。
【０００９】
螺旋杭の輪部（１０）の片側面を支持する側面支持部（１４）と輪部（１０）の内径を支持する内径支持部（１５）もち、側面支持部（１４）と対峙する突起（１６）を設けた打ち込み用ハンドルを使用する。
【作用】
回転の中心が螺旋杭先端（１２）ではなく螺旋形状の中心（１３）に移る。
【００１０】
螺旋杭を螺旋杭支持部（１）にスムーズに挿入するため突出部（３）を入れる隙間（８）を設けることで突出部（３）はスムーズに挿入できるようになる。
【００１１】
螺旋杭を螺旋杭支持部（１）にスムーズに挿入するため突出部（３）を入れる間隙（８）を設けることで必要以上に螺旋杭と螺旋杭支持部（１）の隙間をとる必要がなくなるため螺旋杭が螺旋杭支持部（１）のなかで倒れることを抑制できる。
【００１２】
打ち込み用ハンドルの突起（１６）を輪部（１０）の切れ目（１１）より挿入し（図６）のごとく９０度回転すれば側面支持部（１４）と内径指示部（１５）と突起（１６）３点で螺旋杭は支持される。
【発明の実施の形態】
以下、本発明の実施の形態について説明する。
上部より螺旋杭を挿入できる螺旋杭支持部（１）を持っている。
【００１３】
螺旋杭支持部（１）の上部より螺旋杭の突出部（３）を入れるための隙間（８）を持っている。
【００１４】
螺旋杭の打ち込み作業を目視できる目視穴（６）を持っている。
【００１５】
螺旋杭支持部（１）が地面に対して動いてしまうことを抑制するためのハーケン（４）を備え、作業者がハーケン（４）を踏むための踏板（５）を持っている。
【００１６】
作業終了後、螺旋杭から螺旋杭打ち込み補助具を抜き取り、運搬するためのトッテ（７）を持っている。
【００１７】
螺旋杭の打ち込み作業を効率よく行うための（図５）（図６）打ち込み用ハンドルを付属することがある。
【００１８】
【発明の効果】
螺旋杭の突出部（３）を含めての直径で螺旋杭支持部（１）を作ると螺旋杭と螺旋杭支持部（１）の隙間が大きくなり螺旋杭の倒れの原因となる。突出部（３）を逃がす隙間（８）を設けることで、螺旋杭と螺旋杭支持部の隙間を少なくできる。結果、螺旋杭形状の中心（１３）がずれ難くなる。これで螺旋杭の施工例（図７）のような輪部（１０）にパイプを通して使用する際に輪部（１０）のずれが抑えられ有効である。
【００１９】
上記理由により、螺旋杭が螺旋杭支持部（１）のなかで倒れることが抑制できる。結果螺旋杭は十分な引き抜き抵抗力を得られる。
【００２０】
螺旋杭上部の輪部（１０）の片側面を支持する側面支持部（１４）と輪部（１０）の内径を支持する内径支持部（１５）を持ち、突起（１６）を輪部（１０）の切れ目（１１）より挿入し（図６）のごとく９０度回転すれば側面支持部（１４）と内径指示部（１５）と突起（１６）３点で支持する作用により螺旋杭と打ち込み用ハンドルのがたつきが抑えられる。結果、螺旋杭と打ち込みハンドルの垂直状態を保ちながら回転させ、なおかつ地面に対して押す力を加えるといった無理をせずに安直に押し回すだけで打ち込める。
【００２１】
螺旋杭打ち込み補助具を使用することで経験に頼らないでも安易に作業ができる。
【００２２】
施工例（図７）のように鉄骨（１８）に近接して打ち込むことが多いため中央に螺旋杭の支持金具（２０）をパイプ部（２１）に固定すると打ち込み用ハンドルは鉄骨（１８）に抵触してしまい回らなくなる。これを解決するため支持金具（２０）が打ち込み用ハンドルのパイプ部（２１）の移動範囲（２２）を移動できる構造にした。結果、打ち込みハンドルは鉄骨（１８）に抵触せずスムーズな打ち込み作業ができる。
【図面の簡単な説明】
【図１】本発明の全体斜視図である。
【図２】本発明の全体平面図と側面図である。
【図３】補助具無しでの施工状態図である。
【図４】螺旋杭の平面図と側面図である。
【図５】本発明の打ち込み用ハンドル３面図である。
【図６】本発明の打ち込み用ハンドルの螺旋杭へのセット方法の図解である。
【図７】ビニールハウスの施工例図である。
【符号の説明】
１　　螺旋杭支持部
２　　支持板
３　　突出部
４　　ハーケン
５　　踏板
６　　目視穴
７　　トッテ
８　　隙間
９　　螺旋杭外直径部
１０　輪部
１１　切れ目
１２　螺旋杭先端
１３　螺旋杭形状の中心
１４　側面支持部
１５　内径支持部
１６　突起
１７　ツメ
１８　鉄骨
１９　螺旋の角度
２０　支持金具
２１　パイプ部
２２　移動範囲
【図１】
2004116273.tif 000003
【図２】
2004116273.tif 000004
【図３】
2004116273.tif 000005
【図４】
2004116273.tif 000006
【図５】
2004116273.tif 000007
【図６】
2004116273.tif 000008
【図７】
2004116273.tif 000009